【手続補正書】
【提出日】平成23年12月16日(2011.12.16)
【手続補正１】
【補正対象書類名】特許請求の範囲
【補正対象項目名】全文
【補正方法】変更
【補正の内容】
【特許請求の範囲】
【請求項１】
複数のチャンネルを有する画像データを読み取る複数のラインセンサを有し、
該複数のラインセンサを用いて読み取られた画像データの補正を行い、
該複数のラインセンサのうち、隣接したラインセンサそれぞれによる原稿画像の読み取り位置が、１画素未満ずれている複数のフレーム分の画像データを取得する補正手段、
前記補正手段にて補正された複数のフレーム分の画像データを用いて補間処理を行うことで、前記ラインセンサで読み取った画像データの解像度より高い解像度のモノクロ画像データを得る高解像度変換手段、を有することを特徴とする画像処理装置。
【請求項２】
前記複数のラインセンサは、赤のカラーフィルタがついたラインセンサ、青のカラーフィルタがついたラインセンサ、緑のカラーフィルタがついたラインセンサで構成されることを特徴とする請求項１に記載の画像処理装置。
【請求項３】
前記複数のラインセンサは、赤のカラーフィルタを有したラインセンサ、青のカラーフィルタを有したラインセンサ、緑のカラーフィルタを有したラインセンサ、カラーフィルタを有していないラインセンサで構成されることを特徴とする請求項１に記載の画像処理装置。
【請求項４】
前記補正手段とは、オフセット補正であり、
前記複数のラインセンサが設置されている位置の間隔によって副走査方向に生じる原稿画像の読み取り位置の１画素以上のずれを補償し、
前記原稿画像の読み取り位置が副走査方向に１画素未満ずれている複数フレーム分の画像データを出力することを特徴とする請求項１に記載の画像処理装置。
【請求項５】
前記複数のラインセンサは基準となる位置に対して傾いて設置され、前記補正手段とは、角度補正であり、前記複数の画像データをそれぞれ回転して傾きを補償するように補正することを特徴とする請求項１に記載の画像処理装置。
【請求項６】
前記画像処理装置はさらに
前記複数のラインセンサを用いて取得したそれぞれの画像データの信号値を取得する信号値取得手段を有し、
前記信号値取得手段にて、信号値が類似した画像データが２つ以上あると判定された領域に前記高解像度変換を行うことを特徴とする請求項１に記載の画像処理装置。
【請求項７】
前記信号値取得手段にて、全ての画像データの信号値が類似していると判定された領域に、前記高解像度変換を行うことを特徴とする請求項６に記載の画像処理装置。
【請求項８】
前記信号値取得手段にて、全ての画像データの信号値が類似していると判定された領域の文字部分に前記高解像度変換を行うことを特徴とする請求項６に記載の画像処理装置。
【請求項９】
前記画像処理装置はさらに
前記複数のラインセンサを用いて取得した画像データから１つの基準画像データを選択する基準画像データ選択手段を有し、
前記基準画像データの信号値と類似した信号値を有する画像データがあると判定された領域に前記高解像度変換を行うことを特徴とする請求項１に記載の画像処理装置。
【請求項１０】
前記基準画像データとは、カラーフィルタを有していないラインセンサで取得した画像データであることを特徴とする請求項９に記載の画像処理装置。
【請求項１１】
隣接するラインセンサと原稿画像の読み取り位置が１画素未満ずれた画像データを読み取り、複数のラインセンサから構成される読み取り手段を有し、
前記読み取り手段によって取得した画像データを用いて補間処理を行うことで、前記ラインセンサが読み取った画像データの解像度より高い解像度のモノクロ画像データを得る高解像度変換手段、を有することを特徴とする画像処理装置。
【請求項１２】
複数のチャンネルを有する画像データを読み取る複数のラインセンサを有し、
該複数のラインセンサを用いて読み取られた画像データの補正を行い、
該複数のラインセンサのうち、隣接したラインセンサそれぞれによる原稿画像の読み取り位置が、１画素未満ずれている複数のフレーム分の画像データを取得する補正ステップ、
前記補正ステップにて補正された複数のフレーム分の画像データを用いて補間処理を行うことで、前記ラインセンサで読み取った画像データの解像度より高い解像度のモノクロ画像データを得る高解像度変換ステップ、
を有することを特徴とする画像処理方法。
【請求項１３】
前記複数のラインセンサは、赤のカラーフィルタがついたラインセンサ、青のカラーフィルタがついたラインセンサ、緑のカラーフィルタがついたラインセンサで構成されることを特徴とする請求項１２に記載の画像処理方法。
【請求項１４】
前記複数のラインセンサは、赤のカラーフィルタを有したラインセンサ、青のカラーフィルタを有したラインセンサ、緑のカラーフィルタを有したラインセンサ、カラーフィルタを有していないラインセンサで構成されることを特徴とする請求項１２に記載の画像処理方法。
【請求項１５】
前記補正ステップでは、画像データに対してオフセット補正を行い、
前記複数のラインセンサが設置されている位置の間隔によって副走査方向に生じる原稿画像の読み取り位置の１画素以上のずれを補償し、
前記原稿画像の読み取り位置が副走査方向に１画素未満ずれている複数フレーム分の画像データを出力することを特徴とする請求項１２に記載の画像処理方法。
【請求項１６】
前記複数のラインセンサは基準となる位置に対して傾いて設置され、前記補正ステップでは、角度補正を行い、前記画像データを回転して傾きを補償するように補正することを特徴とする請求項１２に記載の画像処理方法。
【請求項１７】
前記画像処理方法はさらに
前記複数のラインセンサを用いて取得したそれぞれの画像データの信号値を取得する信号値取得ステップを有し、
前記信号値取得ステップにて、信号値が類似した画像データが２つ以上あると判定された領域に  前記高解像度変換を行うことを特徴とする請求項１２に記載の画像処理方法。
【請求項１８】
前記信号値取得ステップにて、すべての画像データの信号値が類似していると判定された領域に、前記高解像度変換を行うことを特徴とする請求項１７に記載の画像処理方法。
【請求項１９】
前記信号値取得ステップにて、全ての画像データの信号値が類似していると判定された領域の文字部分に前記高解像度変換を行うことを特徴とする請求項１７に記載の画像処理方法。
【請求項２０】
前記画像処理方法はさらに前記複数のラインセンサを用いて取得した画像データから１つの基準画像データを選択する基準画像データ選択ステップを有し、
前記基準画像データの信号値と類似した信号値を有する画像データがあると判定された領域に  前記高解像度変換を行うことを特徴とする請求項１２に記載の画像処理方法。
【請求項２１】
前記基準画像データとは、カラーフィルタを有していないラインセンサで取得した画像データであることを特徴とする請求項２０に記載の画像処理方法。
【請求項２２】
複数のラインセンサを有する画像処理装置における画像処理方法であり、隣接するラインセンサと原稿画像の読み取り位置が１画素未満ずれた画像データを読み取る読み取りステップと、
前記複数のラインセンサによって取得した画像データを用いて、補間処理を行うことで、前記ラインセンサが読み取った画像データの解像度より高い解像度のモノクロ画像データを得る高解像度変換ステップ、を有することを特徴とする画像処理方法。
【請求項２３】
請求項１２乃至２２に記載の画像処理方法をコンピュータに実行させるためのプログラム。
【手続補正２】
【補正対象書類名】明細書
【補正対象項目名】００１１
【補正方法】変更
【補正の内容】
【００１１】
上記課題を解決すべく、本願発明の画像処理装置は、複数のチャンネルを有する画像データを読み取る複数のラインセンサを有し、該複数のラインセンサを用いて読み取られた画像データの補正を行い、該複数のラインセンサのうち、隣接したラインセンサそれぞれによる原稿画像の読み取り位置が、１画素未満ずれている複数のフレーム分の画像データを取得する補正手段、前記補正手段にて補正された複数のフレーム分の画像データを用いて補間処理を行うことで、前記ラインセンサで読み取った画像データの解像度より高い解像度のモノクロ画像データを得る高解像度変換手段、を有することを、を有することを特徴とする。